(57)【特許請求の範囲】
【請求項１】
撮像素子で撮像された映像をデジタルデータとして記録し、複数種の電池が使用可能な電子カメラであって、
温度検出手段を具備するバッテリパックが接続される外部電源入力端子と、
温度検出手段を具備しない電池、或いは内部に温度検出手段を具備する電池が装填される電池装着部と、
この電池装着部の内部に設けられた温度検出手段と、
前記バッテリパックの温度検出手段、前記装着された電池の温度検出手段、及び前記電池装着部の内部に設けられた温度検出手段と電気的に接続可能であり、前記何れかの温度検出手段によって検出される温度情報に基づいて温度を算出する温度算出手段と、
前記温度算出手段に接続可能な温度検出手段の接続の有無から、電力を供給する電池の種類を識別する電池識別手段と、
前記電池識別手段の識別結果に基づいて、前記温度算出手段が何れの温度検出手段が検出する温度情報に基づいて温度を算出するかを選択する温度情報選択手段と
を具備してなることを特徴とする電子カメラ。
【請求項２】
撮像素子で撮像された映像をデジタルデータとして記録し、複数種の電池が使用可能な電子カメラであって、
温度検出手段を具備するバッテリパックが接続される外部電源入力端子と、
温度検出手段を具備しない電池、或いは内部に温度検出手段を具備する電池が装填される電池装着部と、
この電池装着部の内部に設けられた温度検出手段と、
前記バッテリパックの温度検出手段、前記装着された電池の温度検出手段、及び前記電池装着部の内部に設けられた温度検出手段と電気的に接続可能であり、前記何れかの温度検出手段によって検出される温度情報に基づいて温度を算出する温度算出手段と、
前記温度算出手段に接続可能な温度検出手段の接続の有無から、電力を供給する電池の種類を識別する電池識別手段と、
前記電池識別手段の識別結果に基づいて、前記温度算出手段が何れの温度検出手段が検出する温度情報に基づいて温度を算出するかを選択する温度情報選択手段と、
前記温度情報選択手段で選択された温度情報に基づいて前記温度算出手段によって算出された温度と前記電池識別手段によって識別された電池の電圧に基づいて電池の残量を判定する残量算出手段と
を具備してなることを特徴とする電子カメラ。
【請求項３】
前記装着された電池に関する温度及び電圧値に対するバッテリ残量を示すテーブルデータを電池種類毎に記憶するメモリを更に有し、
前記残量算出手段は、前記メモリから読み出されたテーブルデータと前記選択された温度情報から算出された温度と前記電力を供給する電池の電圧から電池の残量を判定することを特徴とする請求項１または２に記載の電子カメラ。
【請求項４】
前記電池装着部の内部に設けられた温度検出手段は、温度検出手段を具備しない電池の温度が最も上昇する位置に対応した位置に設置されていることを特徴とする請求項３に記載の電子カメラ。
【請求項５】
前記電池識別手段は、前記バッテリパック、前記温度検出手段を具備しない電池、或いは前記温度検出手段を具備する電池の中から前記供給する電池の種類を識別することを特徴とする請求項１乃至請求項４の何れか１項に記載の電子カメラ。
【請求項６】
温度検出手段を具備するバッテリパックと接続可能な外部電源入力端子を有し、撮像素子で撮像された映像をデジタルデータとして記録する手段と、温度検出手段を具備する電池、或いは温度検出手段を具備しない電池が挿入されると共に、内部に温度検出手段が設けられた電池挿入部とを含んでなる電子カメラの電池残量算出方法であって、
前記バッテリパックの温度検出手段、前記電池挿入部に挿入された電池の温度検出手段、及び前記電池装着部の内部に設けられた温度検出手段のうち、接続されている何れかの温度検出手段によって検出される温度情報に基づいて温度を算出する温度算出手段に接続されている温度検出手段から、電力を供給する電池の種類を識別するステップと、
識別された電池に基づいて、何れの温度検出手段で検出する温度情報を用いて前記温度算出手段が温度演算するかを選択するステップと、
前記選択された温度情報に基づいて温度を算出するステップと、
前記電力を供給する電池に関する温度及び電圧値に対するバッテリ残量を示すテーブルデータ内蔵メモリから読み出すステップと、
このテーブルデータと前記選択された温度及び前記識別された電池の電圧から前記算出された温度及び前記識別された電池の電圧から電池の残量を求めるステップとを含むことを特徴とする電子カメラの電池残量算出方法。
【請求項７】
前記バッテリパック、前記温度検出手段を具備しない電池、或いは前記温度検出手段を具備する電池の中から前記供給する電池を識別することを特徴とする請求項６に記載の電子カメラの電池残量算出方法。
【発明の詳細な説明】
【０００１】
【発明の属する技術分野】
本発明は、電力を供給する電池の残量を正確に算出する電子カメラ及び電子カメラの電池残量算出方法に関する。
【０００２】
【従来の技術】
従来、カメラの種々の動作を行うための電源として、電池が利用されている。電池には、単三型のアルカリ乾電池やＮｉ−ＭＨ二次電池、或いはＬｉ−イオン電池等のセル電池を複数収納するパック電池が用いられている。
【０００３】
図７は、カメラの電池として一般に使用されているリチウム電池の放電特性を示したものである。同図は、温度をパラメータとして、横軸に消費電流量、縦軸に所定の負荷電流を流したときの電池電圧をとり、各消費電流量を消費した電池から所定の負荷電流を流したときの電池電圧をプロットしたものである。
【０００４】
ここで、電圧値ＶINHBは、その電圧値以下ではカメラが正常な動作を行うことができない電圧値を表すものである。そして、この電圧値ＶINHBに対してΔＶMだけマージンを乗せて、カメラの動作を許可するか否かを判定するための判定レベルＶLOCKが決定される。また、このＶLOCKレベルの上限は、低温時における撮影可能ショット数の規格によって制限を受ける。
【０００５】
ところで、この図７から分かるように、上述したように設計されたＶLOCKレベル付近では、温度が低いほど、所定負荷電流を流したときの電池電圧の消費電流量に対する変化率（降下率）が小さく（傾きが緩く）、一方高温（室温程度以上）では上記変化率（降下率）は大きく（傾きがきつく）なる。
【０００６】
このため、ＶLOCK電圧ぎりぎりで、カメラの動作が許可された場合に、不良動作による電流消費によって電池電圧がＶINHBに至までの電流容量は、温度によって大きく異なり、高温になるほど少なくなる（ＩCap1，ＩCap2参照）。
【０００７】
通常、ＶLOCKは上述したように、低温側を基に設計されるので、消費電流が大きく、比較的長時間にわたるカメラ動作が、途中で動作不能に陥り中断されてしまうという問題が生じる。逆に、高温時のＶLOCK付近の上記マージン電流容量を確保するように設計すると、低温時のマージンが過度のものとなり、低温時における撮影可能ショット数の規格を満足するものとなしえない。
【０００８】
そこで、従来は上記ＶLOCKの電圧レベルを温度によって変化させ、上記問題が発生しないように工夫している。例えば、温度によってＶLOCKの電圧レベルを変化させる手法としては、温度係数の異なる複数の抵抗を用いて、バッテリチェック電圧に温度依存性を付与するという手法が、実開昭５９−１３１５６７号公報、実開昭６２−１０６１６５号公報に開示されている。
【０００９】
また、温度検出手段を有し、検出された温度情報によって判定レベルを補正する手法が、特開平２−２６２２７８号公報、特開平３−１８０７８４号公報に開示されている。
【００１０】
【発明が解決しようとする課題】
単三型電池と、複数のセル電池を内蔵するパック電池といったような、複数種の電池を内蔵可能な電子カメラが開発されている。ところが、単三型電池とパック電池とでは、発熱部が異なるので、内蔵電池の温度を正確に計ることができず、電池残量を正確に算出することができないという問題があった。
【００１１】
図８は、アルカリ電池、Ｎｉ−ＭＨ電池、Ｌｉ−イオン電池の放電特性を示したものである。同図は、同一温度、同一負荷における電圧の時間変化を測定したものである。
【００１２】
図８に示すように、電池の種類によっても放電特性が異なる。それぞれの電池の種類に応じて電池の残量を求める処理を行っておらず、電池の種類によっては、精度が悪いという問題があった。
【００１３】
本発明の目的は、電池の種類によらず、電池の温度を正確に計り得る電子カメラを提供することにある。
【００１４】
また、本発明の別の目的は、電池の種類によらず、電池の温度を正確に計ると共に残量を正確に計り得る電子カメラ及び電子カメラの電池残量算出方法を提供することにある。
【００１５】
【課題を解決するための手段】
［構成］
本発明は、上記目的を達成するために以下のように構成されている。
【００１６】
（１）本発明（請求項１）の電子カメラは、撮像素子で撮像された映像をデジタルデータとして記録し、複数種の電池が使用可能な電子カメラであって、温度検出手段を具備するバッテリパックが接続される外部電源入力端子と、温度検出手段を具備しない電池、或いは内部に温度検出手段を具備する電池が装填される電池装着部と、この電池装着部の内部に設けられた温度検出手段と、前記バッテリパックの温度検出手段、前記装着された電池の温度検出手段、及び前記電池装着部の内部に設けられた温度検出手段と電気的に接続可能であり、前記何れかの温度検出手段によって検出される温度情報に基づいて温度を算出する温度算出手段と、前記温度算出手段に接続可能な温度検出手段の接続の有無から、電力を供給する電池の種類を識別する電池識別手段と、前記電池識別手段の識別結果に基づいて、前記温度算出手段が何れの温度検出手段が検出する温度情報に基づいて温度を算出するかを選択する温度情報選択手段とを具備してなることを特徴とする。
【００１７】
（２）本発明（請求項２）の電子カメラは、撮像素子で撮像された映像をデジタルデータとして記録し、複数種の電池が使用可能な電子カメラであって、温度検出手段を具備するバッテリパックが接続される外部電源入力端子と、温度検出手段を具備しない電池、或いは内部に温度検出手段を具備する電池が装填される電池装着部と、この電池装着部の内部に設けられた温度検出手段と、前記バッテリパックの温度検出手段、前記装着された電池の温度検出手段、及び前記電池装着部の内部に設けられた温度検出手段と電気的に接続可能であり、前記何れかの温度検出手段によって検出される温度情報に基づいて温度を算出する温度算出手段と、前記温度算出手段に接続可能な温度検出手段の接続の有無から、電力を供給する電池の種類を識別する電池識別手段と、前記電池識別手段の識別結果に基づいて、前記温度算出手段が何れの温度検出手段が検出する温度情報に基づいて温度を算出するかを選択する温度情報選択手段と、前記温度情報選択手段で選択された温度情報に基づいて前記温度算出手段によって算出された温度と前記電池識別手段によって識別された電池の電圧に基づいて電池の残量を判定する残量算出手段とを具備してなることを特徴とする。
【００１８】
前記電池装着部の内部に設けられた温度検出手段は、温度検出手段を具備しない電池の温度が最も上昇する位置に対応した位置に設置されていることが好ましい。
【００１９】
前記電子カメラには、前記電池装着部に挿入されない、温度検出手段を具備する電池から電力が供給されることが好ましい。
【００２０】
（３）本発明（請求項６）の電池残量の算出方法は、温度検出手段を具備するバッテリパックと接続可能な外部電源入力端子を有し、撮像素子で撮像された映像をデジタルデータとして記録する手段と、温度検出手段を具備する電池、或いは温度検出手段を具備しない電池が挿入されると共に、内部に温度検出手段が設けられた電池挿入部とを含んでなる電子カメラの電池残量算出方法であって、前記バッテリパックの温度検出手段、前記電池挿入部に挿入された電池の温度検出手段、及び前記電池装着部の内部に設けられた温度検出手段のうち、接続されている何れかの温度検出手段によって検出される温度情報に基づいて温度を算出する温度算出手段に接続されている温度検出手段から、電力を供給する電池の種類を識別するステップと、識別された電池に基づいて、何れの温度検出手段で検出する温度情報を用いて前記温度算出手段が温度演算するかを選択するステップと、前記選択された温度情報に基づいて温度を算出するステップと、前記電力を供給する電池に関する温度及び電圧値に対するバッテリ残量を示すテーブルデータ内蔵メモリから読み出すステップと、このテーブルデータと前記選択された温度及び前記識別された電池の電圧から前記算出された温度及び前記識別された電池の電圧から電池の残量を求めるステップとを含むことを特徴とする。
【００２１】
［作用］
本発明は、上記構成によって以下の作用・効果を有する。
【００２２】
電池挿入部に温度検出手段を設けると共に、電池挿入部に内部に温度検出手段を具備する電池を挿入可能とし、電力を供給する電池に基づいて何れかの温度検出手段が検出する温度情報を選択することによって、電池の種類に応じた温度測定が可能となり、電池の温度を正確に計ることができる。
【００２３】
また、上述した方法で電池の温度を正確に計ると共に、電力を供給する電池の種類に応じて、電池の残量を算出することによって、電力を供給する電池の残量を正確に知ることができる。
【００２４】
【発明の実施の形態】
本発明の実施の形態を以下に図面を参照して説明する。
【００２５】
図１は、本発明の一実施形態に係わる電子カメラの概略構成を示すブロック図である。
【００２６】
図１に示すように、撮像レンズ系１１を介して撮像素子１２に投射された画像は、撮像回路１３及びＡ／Ｄ変換器１４を介してデジタルデータに変換される。変換された画像データは、一旦バッファメモリ１５に格納され、圧縮・伸張回路１６でデータ量が圧縮される。圧縮・伸張回路１６で圧縮された画像データは、Ｉ／Ｆ１７を介してカードスロット１８に装着された着脱メモリ１９に記録される。なお、記録モードによっては、画像データを圧縮・伸張回路１６で圧縮せずに、着脱メモリ１９に記録する場合もある。また、着脱メモリ１９に記録された画像データは、外部Ｉ／Ｆ２０を介して、外部入出力端子２１に接続されたパソコンやプリンタ等の外部機器に伝達される。また、撮像素子１２に入力された画像や、着脱メモリ１９内に格納され圧縮・伸張回路１６で伸張された画像は、ビデオメモリ２２及びビデオ出力回路２３を介して画像表示ＬＣＤ２４に表示される。なお、前述した画像は、ビデオアウト端子２５を介して家庭用テレビに表示することができる。
【００２７】
また、操作部、レリーズ、モード設定、電池表示選択部２６で設定された情報がシステムコントローラ（電池識別手段，温度情報選択手段，残量算出手段）２７に伝達される。バッテリ残量表示、種々の設定項目或いは選択項目が表示されるモードＬＣＤ２８の表示制御がシステムコントローラ２７で行われる。また、明るさに応じてシステムコントローラ２７の指令によりストロボ発光部２９が発光する。
【００２８】
内蔵電池挿入部（電池装着部）に挿入された内蔵電池又は外部電源入力端子から供給された電力は、電源部３０を介してシステムコントローラ２７やカメラ回路に供給される。
【００２９】
内蔵電池挿入部に挿入される内蔵電池としては、単三型のアルカリ乾電池（一次電池）やＮｉ−ＭＨ乾電池、或いは複数本のリチウム電池等のセル電池３４を内蔵するパック電池３３がある。内蔵電池挿入部の側面には、サーミスタ３２が配置されている。図２に示すように、内蔵電池挿入部５１に設けられたサーミスタ３２は、単三型電池３１のアルカリ電池（一次電池）やＮｉ−ＭＨ電池（二次電池）の温度が一番上昇する位置である単三型電池３１の中央部に対応する位置に設けられている。なお、単三型電池３１の温度が上昇する部位は電池内部の中心部であるが、それを外部から測定することはできないので、単三型電池３１の中央部に対応する位置にサーミスタ３２を配置している。
【００３０】
また、外部入力端子から供給される電圧源としては、大容量のセル電池３８を内蔵するバッテリパック３７、家庭用電源を変圧するＡＣアダプタ４１がある。
【００３１】
また、複数本（ｎ本）のセル電池３８を内部に格納するパック電池３３及びバッテリパック３７内には、格納する電池セルの温度を測定するためのサーミスタ３５，３９、パック固有の情報が記録されるメモリ３６，４０がそれぞれ設けられている。パック電池３３及びバッテリパック３７内のサーミスタ３５，３９は、セル電池３４，３８から発生する熱がこもりやすい、隣接するセル電池の間の空間に配置されている。例えば、図３に示すように、４本のセル電池を内蔵するパック電池の場合、４本のセル電池の中央部にサーミスタを配置する。
【００３２】
メモリ３６，４０に格納されているパック固有の情報としては、電圧、容量、充放電回数、充放電された日付等がある。また、メモリ３６，４０内には、温度及び電圧値に対するバッテリ残量を示すテーブル（図４）が格納されている。
【００３３】
バッテリパック３７の場合、電力線及びサーミスタに接続する信号線、メモリに接続する信号線は一つの入出力ピンに束ねられ、外部電源入力端子から電子カメラに電力及び信号が転送される。
【００３４】
温度算出回路（温度情報選択手段）４２は、電源部３０に供給されている電力供給原に応じて、内蔵電池挿入部に設置されたサーミスタ３２，パック電池或いはバッテリパックのサーミスタ３５，３９の何れかの抵抗値から温度を算出し、測定された温度をシステムコントローラ２７に転送する。
【００３５】
システムコントローラ２７は、測定された温度及び電圧値と、予め登録されている温度及び電圧に対するバッテリ残量、或いはパック電池３３或いはバッテリパック３７のメモリに登録されている温度及び電圧に対するバッテリ残量とから電力を供給する電池のバッテリ残量を算出し、その結果を画像表示ＬＣＤ２４又はモードＬＣＤ２８に表示する。
【００３６】
次に、バッテリの残量を算出する手順について説明する。
【００３７】
図５，６は、本発明の一実施形態に係わるバッテリ残量測定方法のステップを示すフローチャートである。
【００３８】
先ず、システムコントローラ２７は、外部電源入力端子から電力供給の有無を識別して、カメラ本体に供給されている電力が、内蔵電池挿入部に挿入された内蔵電池から電力が供給されているか判定する（ステップＳ１）。内蔵電池から電力が供給されていないと判定した場合、温度算出部へのサーミスタの接続の有無から、電力供給源がバッテリパック３７であるかを判定する（ステップＳ２）。
【００３９】
システムコントローラ２７は、バッテリパック３７から電力が供給されていた場合、バッテリパック３７内のサーミスタ３９の抵抗値（温度情報）から温度を測定することを選択する（ステップＳ３）。次いで、システムコントローラ２７は温度算出回路４２にバッテリパック３７内のサーミスタ３９を用いて温度を測定することを指令する。次いで、温度算出回路４２はバッテリパック３７内のサーミスタ３９の抵抗値を測定してセル電池３８の温度を測定し、測定結果をシステムコントローラ２７に転送する（ステップＳ４）。次いで、システムコントローラ２７は、電源部３０にバッテリパック３７から供給されている電圧を測定することを指令する。電源部３０はバッテリパック３７の電圧を測定し、測定結果をシステムコントローラ２７に転送する（ステップＳ５）。
【００４０】
次いで、システムコントローラ２７は、バッテリパック３７内のメモリ４０に格納された温度及び電圧値に対するバッテリ残量を示すテーブルを読み出し（ステップＳ６）、読み出されたテーブルと測定された電圧値及び温度値とからバッテリ残量を算出し（ステップＳ７）、バッテリ残量測定ルーチンを止める（ＥＮＤ）。
【００４１】
ステップＳ２において、バッテリパック３７から電力が供給されていないと判定した場合、ＡＣアダプタ４１から供給されていると判定し、バッテリ残量測定のルーチンを止める（ＥＮＤ）。
【００４２】
ステップＳ１において、内蔵電池から電力が供給されていると判定された場合、システムコントローラ２７は、温度算出部へのサーミスタの接続の有無から、内蔵電池挿入部に挿入されている内蔵電池がパック電池３３であるか判定する（ステップＳ８）。内蔵電池挿入部に挿入されている電池がパック電池であると判定した場合、システムコントローラ２７は、パック電池３３内のサーミスタ３５の抵抗値（温度情報）から温度を測定することを選択する（ステップＳ９）。次いで、システムコントローラ２７は温度算出回路４２にパック電池３３内のサーミスタ３５を用いて温度を測定することを指令する。次いで、温度算出回路４２はパック電池３３内のサーミスタ３５の抵抗値を測定してセル電池３４の温度を測定し、測定結果をシステムコントローラ２７に転送する（ステップＳ１０）。次いで、システムコントローラ２７は、電源部３０にパック電池３３から供給されている電圧を測定することを指令する。電源部３０は供給されている電圧を測定し、測定結果をシステムコントローラ２７に転送する（ステップＳ１１）。
【００４３】
次いで、システムコントローラ２７は、パック電池３３内のメモリ３６に格納された温度及び電圧値に対するバッテリ残量を示すテーブルを読み出し（ステップＳ１２）、読み出されたテーブルと測定された電圧値及び温度値とからバッテリ残量を算出し（ステップＳ７）、バッテリ残量測定ルーチンを止める（ＥＮＤ）。
【００４４】
ステップＳ８において、パック電池３３が挿入されていないと判定した場合、内蔵電池挿入部内の単三型電池３１から電力が供給されているものとし、システムコントローラ２７は温度算出回路４２に内蔵電池挿入部内のサーミスタ３２を用いて温度を測定することを指令する（ステップＳ１３）。次いで、温度算出回路４２は内蔵電池挿入部内のサーミスタ３２の抵抗値を測定して単三型電池３１の温度を測定し、測定結果をシステムコントローラ２７に転送する（ステップＳ１４）。次いで、システムコントローラ２７は、電源部３０に単三型電池３１から供給されている電圧を測定することを指令する。電源部３０は単三型電池３１の電圧を測定し、測定結果をシステムコントローラ２７に転送する（ステップＳ１５）。
【００４５】
次いで、システムコントローラ２７は、単三型電池から供給されている電圧から、内蔵電池挿入部に挿入されている単三型電池３１がＮｉ−ＭＨ電池であるか判定する（ステップＳ１６）。供給されている電圧が４．８Ｖ（＝１．２［Ｖ／本］×４［本］）であれば単三型電池がＮｉ−ＭＨ電池であると判定し、６Ｖ（＝１．５［Ｖ／本］×４［本］）であれば単三型電池がアルカリ電池であると判定する。
【００４６】
Ｎｉ−ＭＨ電池が挿入されていると判定した場合、システムコントローラ２７は、本体内に登録されているＮｉ−ＭＨ電池に関する温度及び電圧値に対するバッテリ残量を示すテーブルを読み出し（ステップＳ１７）、読み出されたテーブルと測定された電圧値及び温度値とからバッテリ残量を算出し（ステップＳ７）、バッテリ残量測定ルーチンを止める（ＥＮＤ）。
【００４７】
ステップＳ１６において、Ｎｉ−ＭＨ電池が挿入されていないと判定した場合、アルカリ電池が挿入されているものと判定し、システムコントローラ２７は、本体内に登録されているアルカリ電池に関する温度及び電圧値に対するバッテリ残量を示すテーブルを読み出し（ステップＳ１８）、読み出されたテーブルと測定された電圧値及び温度値とからバッテリ残量を算出し（ステップＳ７）、バッテリ残量測定ルーチンを止める（ＥＮＤ）。
【００４８】
以上の、バッテリ残量処理ルーチンが終了した後は、システムコントローラ２７は、算出されたバッテリ残量を画像表示ＬＣＤ２４或いはモードＬＣＤ２８に表示する。
【００４９】
以上説明したように、本実施形態によれば、電池挿入部にサーミスタを設けると共に、パック電池の内部にもサーミスタを設け、温度算出回路で電力を供給する電池に応じて何れかのサーミスタを用いて電力を供給する電池の温度を算出することにより、電池の種類に応じた温度測定が可能となり、電力を供給する電池の温度を正確に算出することができる。
【００５０】
また、上述した方法で電池の温度を正確に計ると共に、電力を供給する電池の種類に応じて、システムコントローラが電池の残量を算出することによって、電力を供給する電池の残量を正確に知ることができる。
【００５１】
なお、本発明は、上記実施形態に限定されるものではない。例えば、バッテリパック内でサーミスタの抵抗値から温度を算出し、算出した温度をデジタルデータとして温度算出回路に転送しても良い。
【００５２】
また、温度検出手段を具備しないバッテリパックが電池挿入部に挿入された場合、電池挿入部内のサーミスタを用いて温度を測ると共に、本体に格納されたテーブルを用いて電池の残量を算出することができる。
【００５３】
その他、本発明は、その要旨を逸脱しない範囲で、種々変形して実施することが可能である。
【００５４】
【発明の効果】
以上説明したように本発明によれば、電池挿入部に温度検出手段を設けると共に、電池挿入部に内部に温度検出手段を具備する電池を挿入可能とし、電力を供給する電池に基づいて何れかの温度検出手段が検出する温度情報を選択することによって、電池の種類に応じた温度測定が可能となり、電池の温度を正確に計ることができる。
【００５５】
また、上述した方法で電池の温度を正確に計ると共に、電力を供給する電池の種類に応じて、電池の残量を算出することによって、電力を供給する電池の残量を正確に知ることができる。
【図面の簡単な説明】
【図１】本発明の一実施形態に係わる電子カメラの概略構成を示すブロック図。
【図２】本発明の一実施形態に係わる電子カメラの内蔵電池挿入部の概略構成を示す斜視図。
【図３】本発明の一実施形態に係わるパック電池の概略構成を示す図。
【図４】本発明の一実施形態に係わる温度及び電圧値に対するバッテリ残量を示すテーブルを示す図。
【図５】本発明の一実施形態に係わるバッテリ残量測定方法のステップを示すフローチャート。
【図６】本発明の一実施形態に係わるバッテリ残量測定方法のステップを示すフローチャート。
【図７】リチウム電池の放電特性を示す図。
【図８】アルカリ電池、Ｎｉ−ＭＨ電池、Ｌｉ−イオン電池の放電特性を示す図。
【符号の説明】
１１…撮像レンズ系
１２…撮像素子
１３…撮像回路
１４…Ａ／Ｄ変換器
２７…システムコントローラ（電池識別手段，温度情報選択手段，残量算出手段）
３０…電源部
３１…単三型電池
３２…サーミスタ（温度検出手段）
３３…パック電池
３４，３８…セル電池
３５，３９…サーミスタ（温度検出手段）
３６，４０…メモリ
３７…バッテリパック
３９…サーミスタ（温度検出手段）
４０…メモリ
４１…ＡＣアダプタ
４２…温度算出回路（温度情報選択手段）
５１…内蔵電池挿入部（電池装着部）
【図１】
0004414531.tif 000002
【図２】
0004414531.tif 000003
【図３】
0004414531.tif 000004
【図４】
0004414531.tif 000005
【図５】
0004414531.tif 000006
【図６】
0004414531.tif 000007
【図７】
0004414531.tif 000008
【図８】
0004414531.tif 000009